(57)【要約】非粘着性プルタブを有する、引張により剥離する粘着テープ条片を用いて使用する物品であって、引張により剥離する粘着テープ条片全体を覆う大きさとしたベースプレート部分（２２０）を有する一体付着部材（２１８）を含む、テープ物品。前記ベースプレート部分（２２０）には、テープ条片の粘着剤部分を覆う第１部分（２２４）と、非粘着性プルタブ（２１２）を覆う可撓性カバー部分（２２６）とが含まれる。使用者は手でプルタブ（２１２）からカバー部分（２２６）を強制的に遠ざけることができ、それによってプルタブ（２１２）にアクセスすることによって、使用者がテープ条片を引張って、それが付着している一体付着部材および基材から除去することが可能となる。
2005516640.tif 000002
【特許請求の範囲】
【請求項１】
粘着剤部分および非粘着性プルタブを有する引張により剥離する粘着テープ条片を使用して基材の上に搭載される、引張により剥離する粘着テープ物品であって、前記物品が、前記テープ条片を覆う大きさとしたベースプレート部分を含む一体付着部材を含み、前記ベースプレート部分が、前記テープ条片粘着剤部分を覆う第１部分と、前記テープ条片の非粘着性プルタブを覆う可撓性カバー部分とを含み、使用者が手で強制的に前記プルタブから前記カバー部分を遠ざけて、前記プルタブにアクセスすることができ、それによって使用者が前記テープ条片を前記一体付着部材および前記基材から引張により除去することを可能とする、引張により剥離する粘着テープ物品。
【請求項２】
前記ベースプレートの第１部分が、平面状の第１および第２の互いに反対側に位置する主表面を含み、前記カバー部分が、平面状の第１および第２の互いに反対側に位置する主表面を含み、前記ベースプレートの第１部分の第１主表面と前記カバー部分の第１主表面が同一平面にあり、前記ベースプレートの第１部分の第２主表面と前記カバー部分の第２主表面が同一平面にある、請求項１に記載の引張により剥離する粘着テープ物品。
【請求項３】
前記ベースプレートの第１部分が、近接する前記テープ条片プルタブから前記テープ条片粘着剤部分に向けて延在する前記ベースプレート部分の第１末端部分を画定し、前記カバー部分が、近接する前記テープ条片粘着剤部分から前記テープ条片のプルタブに向けて延在する前記ベースプレート部分の第２末端部分を画定する、請求項２に記載の引張により剥離する粘着テープ物品。
【請求項４】
前記ベースプレートの第１部分および前記カバー部分が、弾力性のある可撓性材料で形成されている、請求項３に記載の引張により剥離する粘着テープ物品。
【請求項５】
前記ベースプレートの第１部分およびカバー部分のそれぞれが、同一の材料で形成されている、請求項４に記載の引張により剥離する粘着テープ物品。
【請求項６】
前記カバー部分が前記ベースプレートの第１部分よりも可撓性が高い、請求項３に記載の引張により剥離する粘着テープ物品。
【請求項７】
前記ベースプレートの第１部分が第１の材料で形成され、前記カバー部分が第２の材料で形成され、前記第２の材料が前記第１の材料よりも高い可撓性を有している、請求項６に記載の引張により剥離する粘着テープ物品。
【請求項８】
前記第１の材料が、ポリプロピレンおよびポリスチレンの少なくとも１種を含む、請求項７に記載の引張により剥離する粘着テープ物品。
【請求項９】
前記第２の材料がエラストマーである、請求項８に記載の引張により剥離する粘着テープ物品。
【請求項１０】
前記ベースプレートの第１部分前記カバー部分が、結合インターフェースに沿って密着している、請求項７に記載の引張により剥離する粘着テープ物品。
【請求項１１】
前記ベースプレートの第１部分前記カバー部分が、結合インターフェースに沿って粘着的に接合されている、請求項７に記載の引張により剥離する粘着テープ物品。
【請求項１２】
前記カバー部分が前記ベースプレートの第１末端部分に対して移動する際に、前記ベースプレートの第１末端部分と前記カバー部分との間の前記結合インターフェースを形成する前記第１および前記第２の材料が互いに対して移動しない、請求項１１に記載の引張により剥離する粘着テープ物品。
【請求項１３】
前記結合インターフェースが、前記テープ条片の前記粘着剤部分と前記非粘着性プルタブとの間のインターフェースに近接して配置されている、請求項１２に記載の引張により剥離する粘着テープ物品。
【請求項１４】
前記結合インターフェースが、前記ベースプレートの第１末端部分と前記カバー部分との間の曲がり領域の開始点を画定し、さらに、前記結合インターフェースが前記テープ条片の領域に位置していて、使用者が前記カバー部分を曲げて前記プルタブから遠ざけて、それによって前記プルタブにアクセスすることが可能となる、請求項１１に記載の引張により剥離する粘着テープ物品。
【請求項１５】
前記一体付着部材が、互いに反対側に位置する第１および第２主表面を含み、前記第１表面が前記テープ条片を粘着的に付着させるためにほぼ平面状であり、さらに、前記一体付着部材が、前記第２主表面に付着した保持部分を含む、請求項１に記載の引張により剥離する粘着テープ物品。
【請求項１６】
前記保持部分が、前記第２主表面から外側の方向に延在するフックを含む、請求項１５に記載の引張により剥離する粘着テープ物品。
【請求項１７】
前記保持部分が、前記第２主表面から外側の方向に延在する１対の向かい合って協働する弾力性のある可撓性弓状掴み具を含む、請求項１５に記載の引張により剥離する粘着テープ物品。
【請求項１８】
前記ベースプレートの第１部分が、近接する前記テープ条片プルタブから前記テープ条片粘着剤部分に向けて延在する前記ベースプレート部分の第１末端部分を画定し、前記カバー部分が、前記ベースプレートの第１部分の少なくとも一部を覆いかつ前記ベースプレートの第１部分に対して固定されている第１末端部分を含み、さらに、前記カバー部分の第１末端部分から延在し、前記テープ条片のプルタブを覆う関係にある第２末端部分を含む、請求項１に記載の引張により剥離する粘着テープ物品。
【請求項１９】
前記カバー部分が前記ベースプレートの第１部分よりも可撓性が高い、請求項１８に記載の引張により剥離する粘着テープ物品。
【請求項２０】
前記ベースプレートの第１部分が第１の材料で形成され、前記カバー部分が第２の材料で形成され、前記第２の材料が前記第１の材料よりも高い可撓性を有している、請求項１９に記載の引張により剥離する粘着テープ物品。
【請求項２１】
前記第１の材料が、ポリプロピレンおよびポリスチレンの少なくとも１種を含む、請求項２０に記載の引張により剥離する粘着テープ物品。
【請求項２２】
前記第２の材料がエラストマーである、請求項２１に記載の引張により剥離する粘着テープ物品。
【請求項２３】
前記ベースプレートの第１部分前記カバー部分が、結合インターフェースに沿って密着している、請求項２２に記載の引張により剥離する粘着テープ物品。
【請求項２４】
前記ベースプレートの第１部分前記カバー部分が、結合インターフェースに沿って粘着的に接合されている、請求項２２に記載の引張により剥離する粘着テープ物品。
【請求項２５】
前記カバー部分が前記ベースプレートの第１末端部分に対して移動する際に、前記ベースプレートの第１末端部分と前記カバー部分との間の前記結合インターフェースを形成する前記第１および前記第２の材料が互いに対して移動しない、請求項２３に記載の引張により剥離する粘着テープ物品。
【請求項２６】
前記結合インターフェースが、前記テープ条片の前記粘着剤部分と前記非粘着性プルタブとの間のインターフェースに近接して配置されている、請求項２５に記載の引張により剥離する粘着テープ物品。
【請求項２７】
前記結合インターフェースが、前記ベースプレート部分の第１部分の末端部分と前記カバー部分との間に重なり合う領域を含む、請求項２３に記載の引張により剥離する粘着テープ物品。
【請求項２８】
前記結合インターフェースが、前記カバー部分の曲がり領域の開始点を画定し、さらに、前記結合インターフェースが前記テープ条片の領域に位置していて、使用者が前記カバー部分を曲げて前記プルタブから遠ざけて、それによって前記プルタブにアクセスすることが可能となる、請求項２７に記載の引張により剥離する粘着テープ物品。
【請求項２９】
前記カバー部分が、前記プルタブの長さ方向に先細になっている、請求項２８に記載の引張により剥離する粘着テープ物品。
【請求項３０】
前記ベースプレート部分が、前記テープ条片粘着剤部分に沿って前記プルタブに向けて延在する舌部分を含み、前記舌部分が第１および第２の互いに反対側に位置する主表面を有している、請求項２７に記載の引張により剥離する粘着テープ物品。
【請求項３１】
前記カバー部分が前記舌部分を覆いかつそれに密着し、そして前記舌部分を超えて延在し、前記プルタブを覆う関係にある、請求項３０に記載の引張により剥離する粘着テープ物品。
【請求項３２】
前記ベースプレート部分が、第１および第２の互いに反対側に位置する主表面を含み、さらに、前記ベースプレート部分が前記第２主表面から延在する保持部分を含む、請求項３１に記載の引張により剥離する粘着テープ物品。
【請求項３３】
前記保持部分が、前記ベースプレート部分の第２主表面から外側に向けて延在する突起であり、さらに、前記カバー部分が前記突起と嵌合させるための開口部を含む細長いストラップであり、それによって前記カバー部分を前記突起と取り外し可能に結合できる、請求項３２に記載の引張により剥離する粘着テープ物品。
【請求項３４】
前記カバー部分が、相互係合する部分付きの終端を有する細長いストラップであり、さらに、前記保持部分が、前記互いに係合する部分を受けるための鞍形であり、それによって前記ベースプレート部分に固定する関係で前記互いに係合する部分を保持する、請求項３２に記載の引張により剥離する粘着テープ物品。
【請求項３５】
両面粘着剤部分と非粘着性プルタブとを有する引張により剥離する粘着テープ条片を使用して基材の上に搭載される一体状の物品であって、前記一体状の物品が、前記テープ条片粘着剤部分および前記テープ条片のプルタブを覆う大きさとしたベースプレート部分を含み、前記ベースプレート部分が、前記テープ条片粘着剤部分を覆う第１部分と、前記非粘着性プルタブを覆う弾力性のある可撓性カバー部分とを含み、それにより、使用者が手で強制的に前記プルタブから前記カバー部分を遠ざけて、前記プルタブにアクセスすることができ、それによって、使用者が前記テープ条片を前記物品およびそれが付着している前記基材から引張により除去することを可能とする、引張により剥離する粘着テープ物品。
【請求項３６】
（ａ）粘着剤部分および非粘着性プルタブを有する引張により剥離する粘着テープ条片と、
（ｂ）一体付着部材であり、前記一体付着部材が、
（ｉ）（１）近接する前記テープ条片プルタブから前記テープ条片粘着剤部分に向けて延在する前記ベースプレート部分の第１末端部分を画定する第１部分と、
（２）近接する前記テープ条片粘着剤部分から前記テープ条片のプルタブに向けて延在する前記ベースプレート部分の第２末端部分を画定する、弾力性のある可撓性カバー部分と、
を含む、前記テープ条片を覆う大きさとしたベースプレート部分であって、
前記ベースプレートの第１部分がほぼ平面状の第１および第２の互いに反対側に位置する主表面を含み、前記カバー部分がほぼ平面状の第１および第２の互いに反対側に位置する主表面を含み、前記ベースプレートの第１部分の第１主表面と前記カバー部分の第１主表面が同一平面にあり、そして前記ベースプレートの第１部分の第２主表面と前記カバー部分の第２主表面が同一平面にあり、
さらに、前記ベースプレートの第１部分が第１の材料で形成され、前記カバー部分が第２の材料で形成され、前記第２の材料が前記第１の材料よりも可撓性が高く、そして前記ベースプレートの第１部分および前記カバー部分が、結合インターフェースに沿って密着している、
前記ベースプレート部分、および
（ｉｉ）基材に搭載すべき物品を支持するために前記第２主表面から外側に向けて延在する保持部分
を含む一体付着部材と、
を含む、基材の上に搭載される引張により剥離する粘着テープ物品であって、使用者が手で強制的に前記プルタブから前記カバー部分を遠ざけて、前記プルタブにアクセスすることができ、それによって使用者が前記テープ条片を前記一体付着部材および前記基材から引張により除去することを可能とする、引張により剥離する粘着テープ物品。
【請求項３７】
前記粘着テープ条片が第１および第２末端を含み、前記テープ条片粘着剤部分が前記テープ条片の第１末端に近接して具備されており、前記プルタブが前記テープ条片の第２末端に近接して具備されており、さらに、前記テープ条片の粘着剤部分が第１および第２の互いに反対側に位置する粘着剤主表面を含み、主表面それぞれが前記テープ条片の第１末端に近接する１次末端と前記プルタブに近接する２次末端とを有し、ここで、前記第２の粘着剤表面の２次末端が前記第１の粘着剤表面の２次末端よりも前記テープ条片の第２末端により近く配置され、そして前記第２の粘着剤表面が前記ベースプレートの第１部分と前記ベースプレートの第１部分に近接した前記可撓性カバー部分の一部とを粘着的に接合し、それにより、前記プルタブにアクセスするために前記カバー部分を前記テープ条片から強制的に遠ざけた場合に、前記プルタブが曲がることで基材から遠のき、それによってプルタブにアクセスすることが容易となる、請求項３６に記載の引張により剥離する粘着テープ物品。
【請求項３８】
基材の上に搭載される引張により剥離する粘着テープ物品であって、
（ａ）粘着剤部分および非粘着性プルタブを有する引張により剥離する粘着テープ条片と、
（ｂ）前記テープ条片を覆う大きさとしたベースプレート部分を含む一体付着部材であって、前記ベースプレート部分が、
（ｉ）前記堅い第１部分は近接する前記テープ条片のプルタブから前記テープ条片粘着剤部分に向けて延在する前記ベースプレート部分の第１末端部分を画定し、第１および第２の互いに反対側に位置する主表面を有し、かつ前記プルタブに近接する舌部分を含む、前記テープ条片粘着剤部分を覆う堅い第１部分、
（ｉｉ）前記堅い第１部分よりは可撓性がより高い材料で形成されたカバー部分であって、前記カバー部分が、
（Ａ）前記ベースプレートの舌部分を覆い、かつ前記ベースプレートの舌部分に固定されている第１末端部分と、
（Ｂ）前記テープ条片のプルタブを覆う関係にある前記カバー部分の第１末端部分から延在する第２部分であって、それによって使用者が手で強制的に前記プルタブから前記第２部分を遠ざけて、前記プルタブにアクセスすることができ、前記テープ条片を前記一体付着部材および前記基材から引張により除去することを可能とする、第２部分と、
（Ｃ）前記第２部分から延在する細長いストラップ部分と、
（Ｄ）前記ストラップ部分から延在する互いに係合する末端部分と、
を含むカバー部分、および
（ｉｉｉ）前記堅い第１部分の第２主表面から外側に向けて延在し、前記互いに係合する部分を受け、それによって前記互いに係合する部分を前記ベースプレート部分に固定する関係で保持するための鞍形の保持部分
を含む一体付着部材と、
を含む、引張により剥離する粘着テープ物品。
【発明の詳細な説明】
【技術分野】
【０００１】
本発明は一般に、表面に対象物を取り外し可能なように粘着的に接合させるための、引張りにより剥離する粘着テープに関する。より詳しくは本発明は、除去作業の際に、テープ条片の非粘着性プルタブから曲げて遠ざけることによってそのプルタブにアクセスすることが可能となるような可撓性カバー部分を含む、引張により剥離する粘着テープ条片と共に使用するための物品に関する。
【背景技術】
【０００２】
引張りにより剥離する粘着テープは、強力な保持力ときれいに除去でき表面に損傷をあたえないことの両方の性質を併せ持つ、新しいタイプの高性能感圧性粘着剤の代表例である。そのような引張りにより剥離する粘着テープは、組立て、連結、貼付け、搭載用途など広い分野で有用である。
【０００３】
市販されている引張りにより剥離する粘着テープの例を挙げれば、ミネソタ州セント・ポール（Ｓｔ．Ｐａｕｌ、Ｍｉｎｎｅｓｏｔａ）のミネソタ・マイニング・アンド・マニュファクチュアリング・カンパニー（Ｍｉｎｎｅｓｏｔａ  Ｍｉｎｉｎｇ  ａｎｄ  Ｍａｎｕｆａｃｔｕｒｉｎｇ  Ｃｏｍｐａｎｙ）から商品名コマンド（ＣＯＭＭＡＮＤ）として販売されている製品、および独国ハンブルグ（Ｈａｍｂｕｒｇ、Ｇｅｒｍａｎｙ）のバイエルスドルフ・ＡＧ（Ｂｅｉｅｒｓｄｏｒｆ  ＡＧ）から商品名パワー＝ストリップス（ＰＯＷＥＲ−ＳＴＲＩＰＳ）として販売されている製品がある。現在のところそれらの製品は条片として製造されており、除去作業の際に引張るのが楽になるように、非粘着性プルタブを含む条片の一端を有している。
【０００４】
引張りにより剥離する粘着テープは一般的には、たとえば壁、窓、キャビネットなどの表面にフックのような保持具を搭載するために使用されている。そのような保持具は一般に、非粘着性プルタブを隠し込むかあるいはむき出しのままにするかのいずれかの設計になっている。プルタブをむき出しにしたままの保持具ならば、使用者がプルタブを直接つまんで、テープ条片を保持具および表面から引張って除去することが可能である。しかしながら、プルタブをむき出しにしておくことは、美的な感覚からは望ましくないと考えられる場合が多い。非粘着性プルタブをむき出しにしたままの保持具の例は、ルーマン（Ｌｕｈｍａｎｎ）への特許文献１およびクレッケル（Ｋｒｅｃｋｅｌ）への特許文献２に記載されている。
【０００５】
プルタブを隠して付着システムのトータルとしても外観を改良するために、プルタブを完全に覆い隠しておいて、引張りにより除去する際にだけプルタブにアクセスすることができるように、保持具を設計すること行われてきた。非粘着性プルタブを選択的に隠すことができるようにした保持具の例については、ハメルスキー（Ｈａｍｅｒｓｋｉ）らへの特許文献３、ドカント（ｄｏＣａｎｔｏ）らへの特許文献４、シューマン（Ｓｃｈｕｍａｎｎ）への特許文献５、およびシューマン（Ｓｃｈｕｍａｎｎ）への特許文献６に記載がある。しかしながらそのような保持具は、製造コストが高く、その上使い勝手が悪い。
【特許文献１】米国特許第５，４０９，１８９号公報
【特許文献２】米国特許第５，９８９，７０８号公報
【特許文献３】米国特許第５，５０７，４６４号公報
【特許文献４】米国特許第５，９６７，４７４号公報
【特許文献５】米国特許第６，０８２，６８６号公報
【特許文献６】米国特許第６，１３１，８６４号公報
【発明の開示】
【発明が解決しようとする課題】
【０００６】
したがって、非粘着性プルタブを隠し、製造コストが安く、使い勝手のよい、引張りにより剥離する粘着テープを用いて使用する物品を提供することが望まれる。
【課題を解決するための手段】
【０００７】
本発明は、引張により剥離する粘着テープ条片の非粘着性プルタブを隠すように設計された物品を提供する。より詳しくは、本発明は、粘着剤部分と非粘着性プルタブを有する引張により剥離する粘着テープ条片と共に使用する物品を提供し、ここで前記物品には、引張により剥離する粘着テープ条片全体を覆う大きさとしたベースプレート部分を有する一体付着部材を含む。
【０００８】
前記ベースプレート部分には、テープ条片粘着剤部分を覆う第１部分と、非粘着性プルタブを覆う可撓性カバー部分とが含まれる。この方法では、使用者は手でプルタブからカバー部分を強制的に曲げることができ、それによってプルタブにアクセスすることによって、使用者が一体付着部材および基材からテープ条片を引張して除去することが可能となる。その可撓性部分は、テープ条片の粘着剤部分が基材から剥離したり、粘着剤条片によって基材表面に損傷を与えたりすることなく、使用者が手でプルタブからカバー部分を強制的に曲げ、それによりプルタブをつまむことが可能となる程度に充分に可撓性である。すなわち、カバー部分を曲げてプルタブから離すのに必要な曲げの力があまりにも高いと、その粘着剤条片が基材から引き離される傾向が強く、基材表面を損傷する可能性もある。
【０００９】
本発明の１つの態様においては、ベースプレートの第１部分にはほぼ平面状の互いに反対側に位置する第１および第２の主表面を含み、そしてカバー部分にはほぼ平面状の互いに反対側に位置する第１および第２の主表面を含み、そしてベースプレートの第１部分の第１主表面とカバー部分の第１主表面が同一平面にあり、そしてベースプレートの第１部分の第２主表面とカバー部分の第２主表面が同一平面にある。
【００１０】
また別の態様においては、ベースプレートの第１部分が、テープ条片のプルタブの直近からテープ条片粘着剤部分に向けて延在するベースプレート部分の第１末端部分を画定し、そしてカバー部分が、テープ条片粘着剤部分の直近からテープ条片プルタブに向けて延在するベースプレート部分の第２末端部分を画定する。本発明の１つの態様においては、ベースプレートの第１部分とカバー部分は、同一の材料で形成されている。
【００１１】
また別の態様においては、ベースプレートの第１部分が第１の材料で形成され、そしてカバー部分が第２の材料で形成され、そしてその第２の材料が第１の材料よりも高い可撓性を有し、それによって前記カバー部分が前記ベースプレートの第１部分よりも可撓性が高い。ベースプレートの第１部分とカバー部分とは、結合インターフェースに沿って密着している。それとは別の方法で、ベースプレートの第１部分とカバー部分が、さねはぎ（ｔｏｎｇｕｅ  ａｎｄ  ｇｒｏｏｖｅ）タイプの結合で、粘着剤または摩擦ばめ（ｆｒｉｃｔｉｏｎ  ｆｉｔ）で結合されていてもよい。カバー部分がベースプレート第１末端部分に対して移動したときでも、結合インターフェースを画定している、ベースプレートの第１部分のところとカバー部分のところは互いに対しては移動しない。結合インターフェース（ｃｏｎｎｅｃｔｉｖｅ  ｉｎｔｅｒｆａｃｅ）は、テープ条片の粘着剤部分と非粘着性プルタブの間のインターフェースに近接するように配置される。１つの実施態様においては、結合インターフェースが、ベースプレートの第１末端部分とカバー部分との間の曲がり領域の開始点を画定し、使用者がカバー部分を曲げてプルタブから遠ざけ、それによってプルタブにアクセスすることができるように、結合インターフェースを配置する。
【００１２】
この一体付着部材には互いに反対側に位置する第１および第２主表面を含み、その第１表面はテープ条片へ粘着剤を付着させるためにほぼ平面状であり、そして第２主表面に付着した保持部分を含んでいるのが好ましい。この保持部分には、第２主表面から外側へ向けて延びる突起またはフック、第２主表面から外側に向けて延びる１対の向かい合って協働する弾力性のある可撓性弓状掴み具、ストラップ、機械的に互いに係合させる要素の表面、たとえばマジックテープ（ｈｏｏｋ  ａｎｄ  ｌｏｏｐ  ｆａｓｔｅｎｅｒｓ）、クリップ、クランプ、またはその他のものなど、その物品が目的とする最終用途に合わせたものを含んでいてもよい。
【００１３】
また別の実施態様においては、ベースプレートの第１部分が、テープ条片のプルタブの直近からテープ条片粘着剤部分に向けて延在するベースプレート部分の第１末端部分を画定し、そしてカバー部分がベースプレートの第１部分の少なくとも一部を覆いそしてそれに固定されている第１末端部分を含み、さらにカバー部分の第１末端部分から延在し、テープ条片のプルタブを覆う関係にある第２末端部分を含む。また別の態様においては、ベースプレート部分に、テープ条片粘着剤部分に沿ってプルタブの方向に延在する舌部分を含み、そしてカバー部分がその舌部分を覆いかつそれに密着し、そして舌部分を超えて延在し、プルタブを覆う関係にある。
【００１４】
また別の実施態様においては、ベースプレート部分には、第１および第２の互いに反対側に位置する主表面を含み、そしてベースプレート部分には、第２主表面から延在する保持部分を含む。具体的な実施態様においては、この保持部分はベースプレート部分の第２主表面から外側に向けて延在する突起であり、カバー部分は、突起と嵌合させるための開口部を含む細長いストラップであって、それによってカバー部分と突起を、取り外し可能な状態で結合している。
【００１５】
また別の実施態様においては、カバー部分が互いに係合する部分を含む終端を有する細長いストラップであり、その保持部分が互いに係合する部分を受けるために鞍形になっていて、それにより、互いに係合する部分をベースプレート部分に固定する関係で保持する。
【００１６】
また別の態様においては、本発明は、両面粘着剤部分と非粘着性プルタブを有する引張により剥離する粘着テープ条片とともに使用するための一体状の物品を提供し、その一体状の物品には、テープ条片粘着剤部分およびテープ条片プルタブを覆う大きさとしたベースプレート部分を含み、そのベースプレート部分には、テープ条片粘着剤部分を覆う第１部分と、非粘着性プルタブを覆う弾力性のある可撓性カバー部分とを含み、それによって使用者が手でプルタブからカバー部分を強制的に曲げ、それによりプルタブにアクセスすることが可能となり、それにより使用者がその物品および基材からテープ条片を引張して除去することが可能となる。
【００１７】
１つの具体的な実施態様においては、本発明は、基材の上に搭載する、粘着剤部分および非粘着性プルタブを有する引張により剥離する粘着テープ条片と、前記テープ条片を覆う大きさにしたベースプレート部分を含む一体付着部材とを含んだ引張により剥離する粘着テープ物品を提供する。このベースプレート部分には、テープ条片粘着剤部分を覆う堅い第１部分を含み、この堅い第１部分はテープ条片プルタブの直近からテープ条片粘着剤部分に向けて延在するベースプレート部分の第１末端部分を画定し、前記堅い第１部分は第１および第２の互いに反対側に位置する主表面を有しかつプルタブに近接した舌部分を含み、またカバー部分を含むが、このカバー部分は前記堅い第１部分よりは可撓性な材料で形成されている。カバー部分には、ベースプレートの舌部分を覆いそれに固定された第１末端部分と、カバー部分の第１末端部分から延在しテープ条片のプルタブを覆う関係にある第２部分と、第２部分から延在し、それによって使用者が手でプルタブからストラップ部分を強制的に曲げ、それによりプルタブにアクセスすることが可能となり、それによりその一体付着部材および基材からテープ条片を引張して除去することを可能とするような細長いストラップ部分と、前記ストラップ部分から延在する互いに係合する末端部分と、が含まれる。ベースプレート部分にはさらに、互いに係合する部分を受けてそれによって互いに係合する部分をベースプレート部分に固定する関係に維持するための、堅い第１部分の第２主表面から外側に向かって延在する鞍形の保持部分が含まれる。
【００１８】
本発明について、添付の図面を参照しながらさらに説明する。
【発明を実施するための最良の形態】
【００１９】
ここで図を参照するが、まず図１ａ〜１ｃには、基材たとえば壁、キャビネットなど（図示せず）に物品１０２を粘着的に接合させるための引張により剥離する粘着テープ条片１０４を備えた、引張により剥離する粘着テープ物品１０２が示されている。
【００２０】
この引張により剥離する粘着テープ条片１０４には、互いに反対側に位置する粘着性の第１および第２主表面１０８、１１０を有する粘着剤部分１０６と、互いに反対側に位置する非粘着性の第１および第２主表面１１４、１１６とを有していて除去する場合に使用者がテープ条片１０４をつまんで引張するための手段を提供する非粘着性プルタブ１１２とが含まれている。
【００２１】
引張りにより剥離する粘着テープ１０４は、基材にしっかりと付着し、その後で基材から引張りにより除去できるものならば、どのような感圧性粘着剤テープであってもよい。そのような感圧性粘着剤には弾性のあるバッキング、高度に延伸可能で実質的に非弾性の（ｉｎｅｌａｓｔｉｃ）バッキングを含んでいてもよく、あるいは固体状で弾性のある感圧性粘着剤から形成したテープであってもよい。
【００２２】
引張りにより剥離するテープとして好適なものは、米国特許第４，０２４，３１２号明細書（コープマン（Ｋｏｒｐｍａｎ））、独国特許第３３  ３１  ０１６号明細書、米国特許第５，５１６，５８１号明細書（クレッケル（Ｋｒｅｃｋｅｌ）ら）、およびＰＣＴ国際出願公開ＷＯ第９５／０６６９１号パンフレット（ブリース（Ｂｒｉｅｓ）ら）に記載されている。さらに、この引張りにより剥離する粘着テープには、たとえば米国特許第６，００４，６４２号明細書に記載されている層のような引き裂き可能な層や、ＰＣＴ国際出願公開ＷＯ第９９／３１１９３号パンフレットに記載されている層のような再結合させることが可能な層などが含まれていてもよい。
【００２３】
市販されている引張りにより剥離する粘着テープの例を挙げれば、ミネソタ州セント・ポール（Ｓｔ．Ｐａｕｌ、Ｍｉｎｎｅｓｏｔａ）のミネソタ・マイニング・アンド・マニュファクチュアリング・カンパニー（Ｍｉｎｎｅｓｏｔａ  Ｍｉｎｉｎｇ  ａｎｄ  Ｍａｎｕｆａｃｔｕｒｉｎｇ  Ｃｏｍｐａｎｙ）から商品名コマンド（ＣＯＭＭＡＮＤ）として販売されている製品、および独国ハンブルグ（Ｈａｍｂｕｒｇ、Ｇｅｒｍａｎｙ）のバイエルスドルフ・ＡＧ（Ｂｅｉｅｒｓｄｏｒｆ  ＡＧ）から商品名パワー＝ストリップス（ＰＯＷＥＲ−ＳＴＲＩＰＳ）として販売されている製品がある。現在のところそれらの製品は個別の条片として製造されており、除去の際に引張るのが楽になるように、非粘着性プルタブを含む条片の一端を有している。条片の粘着剤表面はさらに、剥離ライナー（図示せず）で保護されていてもよい。
【００２４】
一体付着部材１１８には、テープ条片１０４を覆う大きさとしたベースプレート部分１２０と、テープ条片１０４とは反対側に位置するベースプレート部分１２０の表面から外側に向けて延在する突起の形態の保持部分１２２とが含まれる。このベースプレート部分１２０には、テープ条片の非粘着性プルタブ１１２直近からテープ条片粘着剤表面１１０に向けて延在するベースプレート部分１２０の第１末端部分を画定する第１部分１２４と、テープ条片の粘着剤表面１１０の直近からテープ条片の非粘着性プルタブ１１２に向けて延在するベースプレート部分１２０の第２末端部分を画定するカバー部分１２６とが含まれる。
【００２５】
本発明の特徴とするところに従えば、ベースプレート部分１２０が可撓性の材料、好ましくはたとえばエラストマーのような弾力性のある可撓性材料で形成されていて、矢印Ａ（図１ｃ）で示したように、使用者が手でカバー部分１２６を曲げて非粘着性プルタブ１１２から遠ざけて、プルタブ１１２をむき出しにし、それにより使用者がテープ条片１０４を引張してそれが付着している一体付着部材１１８および基材から除去することが可能となるようにする。本明細書に記載した本発明のそれぞれの実施態様においては、ベースプレートには、文字Ａで示したように手で強制的に非粘着性プルタブから遠ざけて、それによってプルタブをむき出しにし、そして使用者がテープ条片を引張してそれが付着している基材および一体付着部材から除去することを可能とする、可撓性カバー部分が含まれる。
【００２６】
図２ａ〜２ｃには本発明のまた別な実施態様を示しているが、ここでは、一体付着部材２１８のベースプレート部分２２０が２つの異なった材料から形成されている。図１ａ〜１ｃと機能的には類似している、図２ａ〜２ｃ、および残りの図３〜５における物品は、１００刻みで同様の参照番号を用いて示してある。本発明の、また別の特徴とするところに従えば、ベースプレート部分２２０の第１部分２２４が堅い材料で作られ、ベースプレート部分２２０のカバー部分２２６が可撓性の材料で作られていて、それによってカバー部分を曲げることによって非粘着性プルタブ２１２から遠ざけることを可能としている。
【００２７】
堅い材料として好適なのは、ポリプロピレン、ポリスチレン、ポリカーボネート、アクリロニトリルブタジエンスチレンポリマー、ナイロン、非可塑化ポリ塩化ビニルなどである。可撓性材料として好適なのは、熱可塑性エラストマーおよび、弾性材料たとえば天然ゴム、スチレン−ブタジエンコポリマー、ネオプレン、およびニトリルゴムなどである。
【００２８】
ベースプレート部分２２０は、第１部分２２４またはベースプレート部分２２０とカバー部分２２６とを組合せて一体状の物品を形成させる、２段成形プロセスを使用して成形するのが好ましい。別な方法として、ベースプレート部分２２０とカバー部分２２６を適当な粘着剤を用いて粘着的に接合してもよい。
【００２９】
ある種の材料同士では同時に成形しても接着しないことがあるので、第１部分２２４とカバー部分２２６のための材料の選択は重要である。ベースプレート部分２２０が充分な凝集力を持つようにするためには、強力な接合を可能とするある種の材料を組合せることが好ましい。たとえば、効果的な材料の組合せとしては、イリノイ州マッケンリー（ＭｃＨｅｎｒｙ、Ｉｌｌｉｎｏｉｓ）のＧＬＳ・コーポレーション（ＧＬＳ  Ｃｏｒｐｏｒａｔｉｏｎ）から入手可能なバーサフレックス（ＶＥＲＳＡＦＬＥＸ）熱可塑性エラストマーを堅い材料とし、ナイロンを可撓性の材料とする。別な例を挙げれば、堅い材料がテキサス州ヒューストン（Ｈｏｕｓｔｏｎ、Ｔｅｘａｓ）のシェル・オイル・カンパニー（Ｓｈｅｌｌ  Ｏｉｌ  Ｃｏｍｐａｎｙ）から入手可能なクレイトン（ＫＲＡＴＯＮ）熱可塑性エラストマーで、可撓性の材料がポリプロピレンである。好ましい実施態様においては、堅い材料がオハイオ州アクロン（Ａｋｒｏｎ、Ｏｈｉｏ）のアドバンスド・エラストマー・システムズ（Ａｄｖａｎｃｅｄ  Ｅｌａｓｔｏｍｅｒ  Ｓｙｓｔｅｍｓ）から入手可能なサントプレン（ＳＡＮＴＯＰＲＥＮＥ）で、可撓性の材料が耐衝撃性ポリスチレンである。
【００３０】
一体付着部材２１８にはさらに、ベースプレート部分２２０の第１部分２２４から外側に向かって延在する１対の向かい合って協働する弾力性のある可撓性弓状掴み具によって形成される、ワイヤ保持部分２２８が含まれる。このワイヤ保持部分２２８は、この第１部分２２４から延在しているように示されてはいるが、この保持部分２２８はカバー部分２２６から外側に向けて延在していてもよいことは理解されたい。さらに、保持部分２２８は、カバー部分２２６と同じ可撓性の材料で形成されていてもよい。
【００３１】
第１部分２２４とカバー部分２２６とは、第１部分２２４とカバー部分２２６の間の曲げ領域を画定している、テープ条片粘着剤部分２０６とプルタブ２１２の間のインターフェース２３２に近接した結合インターフェース２３０のところで、凝集力で接合されている。カバー部分２２６を第１部分２２４に対して移動させたときでも、結合インターフェース２３０のところでは第１部分２２４とカバー部分２２６は相互の間では移動しない。
【００３２】
図３ａ〜３ｄには図２ａ〜２ｃに記載したのと同様な物品を示しているが、ただし、図３ａ〜３ｃにおける保持部分３２８にはペグ３３４と協働結束用ストラップ３３６が含まれている。結束用ストラップ３３６の末端には開口部３３８があって、これをペグ３３４にはめ合わせて固定することができ、それによって、結束用ストラップ３３６が閉ループを形成して、ワイヤやケーブルなどを保持することができる。
【００３３】
図４ａ〜４ｄには、ベースプレート部分４２０と、テープ条片４０４とは反対側に位置するベースプレート部分４２０から外側に向けて延在するフック部分４４０とを含む、物品４０２を示している。このベースプレート部分４２０には、第１部分４２４と、ベースプレートの第１部分４２４を完全に覆いそれに固定されているカバー部分４２６とが含まれる。このカバー部分４２６には、ベースプレートの第１部分４２４を覆う第１末端部分４２６ａが含まれ、そしてカバー部分第１末端部分４２６ａから延在しプルタブ４１２を覆う第２末端部分４２６ｂが含まれる。カバー部分４２６の第２末端部分４２６ｂは、フック部分４４０に近接して最も厚くなっていて、プルタブ４１２の長さ方向に先細になっている。
【００３４】
図５ａ〜５ｄには、引張により剥離する粘着テープ条片５０４と一体付着部材５１８とを含む、引張により剥離する粘着テープ物品５０２を示している。粘着テープ条片５０４には、粘着剤部分５０６と非粘着性プルタブ部分５１２が含まれる。一体付着部材５１８には、堅い第１部分５２４、可撓性カバー部分５２６、および鞍形の保持部分５４２を含むベースプレート部分５２０が含まれる。
【００３５】
この堅い第１部分５２４はテープ条片粘着剤部分５０６を覆っていて、プルタブ部分５１２に近接して終端を有する舌部分５４４を含んでいる。このベースプレートの第１部分５２４が、テープ条片プルタブ５１２直近からテープ条片粘着剤部分５０６に向けて延在するベースプレート部分５２０の第１末端部分を画定している。
【００３６】
このカバー部分５２６には、舌部分５４４を覆いそれに密着している第１末端部分５２６ａ、テープ条片のプルタブ５１２を覆う関係にあるカバー部分の第１末端部分５２６ａから延在する第２部分５２６ｂ、第２部分５２６ｂから延在する細長いストラップ部分５２６ｃ、および細長いストラップ部分５２６ｃから延在する互いに係合する末端部分５２６ｄが含まれる。このカバー部分５２６は、図５ｄに見られるように、非粘着性プルタブ５１２から曲げて遠ざけ、プルタブ５１２にアクセスすることができるので、それによって使用者がテープ条片５０４を引張して、粘着剤条片５０４が粘着剤的に接合している基材および一体付着部材５１８から除去することが可能となる。互いに係合する末端部分５２６ｄは、ベース部分５２０と同じような堅い材料から作ってもよく、あるいは細長いストラップ部分５２６ｃと同じような可撓性の材料から作ってもよい。
【００３７】
鞍形の保持部分５４２は、テープ条片５０４の反対側に位置するベースプレートの第１部分５２４から外側に向けて延在し、カバー部分５２６の互いに係合する末端部分５２６ｄを滑り込ませるように受容して、それによってベースプレートの第１部分５２４に固定する関係にある互いに係合する末端部分５２６ｄを保持し、そのことで閉ループを形成して図５ｂに見られる（これを物品の保持状態と呼ぶ）ようにワイヤ、ケーブルなどを保持するのに使用することを可能とするような溝穴５４６を含んでいる。
【００３８】
舌部分５４４とカバー部分５２６が重なり凝集的に接合されている領域が、結合インターフェース５３０を形成している。この結合インターフェース５３０は、テープ条片粘着剤部分５０６とプルタブ５１２の間のインターフェース５３２に近接していて、カバー部分５２６が舌部分５４４に対して曲がる、曲がり領域の開始点を画定している。カバー部分５２６が第１部分５２４に対して移動させたときでも、結合インターフェース５３０のところでは、カバー部分の第１末端部分５２６ａおよび舌部分５４４は相互の間では移動しない。
【００３９】
図６ａおよび６ｂに、図１〜５の実施態様に含めることが可能な本発明のさらなる特徴を示す。この特徴においては、粘着剤条片６０４には、第１の粘着剤表面６０８と、プルタブ６１２の方向に第１の粘着剤表面６０８よりはさらに先に延びている第２の反対側に位置する主粘着剤表面６１０とを有する、粘着剤部分６０６が含まれる。一体付着部材６１８のベースプレート部分６２０には、第１部分６２４と可撓性カバー部分６２６が含まれる。この第１部分６２４と、第１部分６２４に近接するカバー部分６２６の端部とが、粘着剤第２表面６１０に粘着している。この方法では、図６ｂの文字Ａで示したように、使用者が除去プロセスの際にカバー部分６２４をプルタブ６１２から強制的に遠ざけて、プルタブにアクセスし、このプルタブ６１２を図６ｂで想像線で示したような基材に近接した元の位置６１２から、その折曲げた部分６１２’の方へ移動させ、それによって使用者がより容易にプルタブ６１２にアクセスすることが可能となる。
【００４０】
上述してきた本発明のコンセプトから離れることなく、各種の変更や修正が可能であることは当業者には明かであろう。したがって、本発明の範囲は、本明細書に記述された構造に限定されるべきではなく、特許請求項の文言により記述された構造とそれらの構造の等価物によってのみ限定されるべきである。
【図面の簡単な説明】
【００４１】
【図１ａ】本発明による引張により剥離する粘着テープ物品の斜視図である。
【図１ｂ】図１ａの１ｂ−１ｂの線に沿って切断した断面図である。
【図１ｃ】非粘着性プルタブをむき出しにした図１ａの粘着テープ物品の斜視図である。
【図２ａ】本発明のまた別の実施態様の斜視図である。
【図２ｂ】図２ａの２ｂ−２ｂの線に沿って切断した断面図である。
【図２ｃ】非粘着性プルタブをむき出しにした図２ａの粘着テープ物品の斜視図である。
【図３ａ】本発明のまた別の実施態様の斜視図である。
【図３ｂ】図３ａの３ｂ−３ｂの線に沿って切断した断面図である。
【図３ｃ】非粘着性プルタブをむき出しにした図３ａの粘着テープ物品の斜視図である。
【図３ｄ】保持状態にした場合の、図３ａの粘着テープ物品の斜視図である。
【図４ａ】本発明のまた別の実施態様の斜視図である。
【図４ｂ】非粘着性プルタブをむき出しにした図４ａの粘着テープ物品の斜視図である。
【図４ｃ】図４ａの４ｃ−４ｃの線に沿って切断した断面図である。
【図４ｄ】図４ｂの４ｄ−４ｄの線に沿って切断した断面図である。
【図５ａ】本発明のまた別の実施態様の斜視図である。
【図５ｂ】保持状態にした場合の、図５ａの粘着テープ物品の斜視図である。
【図５ｃ】図５ａの５ｃ−５ｃの線に沿って切断した断面図である。
【図５ｄ】カバーを折り曲げて非粘着性プルタブをむき出しにした断面側面図である。
【図６ａ】本発明のさらなる特徴を示す断面図である。
【図６ｂ】図６ａでカバー部分をプルタブがむき出しになるような状態とした断面図である。
【図１ａ】
2005516640.tif 000003
【図１ｂ】
2005516640.tif 000004
【図１ｃ】
2005516640.tif 000005
【図２ａ】
2005516640.tif 000006
【図２ｂ】
2005516640.tif 000007
【図２ｃ】
2005516640.tif 000008
【図３ａ】
2005516640.tif 000009
【図３ｂ】
2005516640.tif 000010
【図３ｃ】
2005516640.tif 000011
【図３ｄ】
2005516640.tif 000012
【図４ａ】
2005516640.tif 000013
【図４ｂ】
2005516640.tif 000014
【図４ｃ】
2005516640.tif 000015
【図４ｄ】
2005516640.tif 000016
【図５ａ】
2005516640.tif 000017
【図５ｂ】
2005516640.tif 000018
【図５ｃ】
2005516640.tif 000019
【図５ｄ】
2005516640.tif 000020
【図６ａ】
2005516640.tif 000021
【図６ｂ】
2005516640.tif 000022
【国際調査報告】
2005516640.tif 000023
2005516640.tif 000024
2005516640.tif 000025